(57)【要約】【課題】ボード貼り付け工事前に電線への接続工事が可能な構造の分電盤を安価に提供する。【解決手段】  壁部に埋め込まれるケースと，該ケースに固定されるブレーカユニットと，表面の全部あるいはブレーカのハンドル部を露望させて覆う化粧カバーからなる分電盤において，ケースには壁面に対して前後方向に設けられた長穴と該長穴に沿ったガイド溝が側部に設けられ，該ガイド溝内で摺動しケースを壁の枠内に固定する釘又はねじを斜めに保持する保持部材を備えることを特徴とする分電盤。【選択図】図２
2006141188.tif 000002
【特許請求の範囲】
【請求項１】
壁部に埋め込まれるケースと，該ケースに固定されるブレーカユニットと，表面の全部あるいはブレーカのハンドル部を露望させて覆う化粧カバーを備えてなる分電盤において，ケースには壁面に対して前後方向に設けられた長穴と該長穴に沿ったガイド溝が側部に設けられ，該ガイド溝内で摺動しケースを壁の枠内に固定する釘又はねじを斜めに保持する保持部材を備えることを特徴とする分電盤。
【請求項２】
前記長穴は，ケース上下の対向する側部に設けられ，ケースは鉛直の柱に跨って水平に固定された２つの枠木の間に，釘又はねじで固定されることを特徴とする請求項１の分電盤。
【請求項３】
前記ケースと枠木の間の隙間にはスペーサーを挟んで固定することを特徴とする請求項２の分電盤。
【請求項４】
前記化粧カバーは前記ケースまたはブレーカユニットに対して螺着するものであって，化粧カバーのねじ穴は長穴あるいは穴ガタ状であってケース又はブレーカユニットに対して取付角度の調整が可能であることを特徴とする請求項１乃至請求項３の分電盤。
【請求項５】
前記スペーサーは，片側にねじあるいは釘の外周を包含する略Ｕ字状の切欠部を備え，該Ｕ字状の切欠部から他端側に折り取り部を設けたことを特徴とする請求項３の分電盤。
【発明の詳細な説明】
【発明の詳細な説明】
【技術分野】
【０００１】本件の発明は，分電盤の構造に関する。
【背景技術】
【０００２】現在，一般的な住宅における屋内電気工事の手順は，壁面ボードの貼り付け工事前に，取付が予定される分電盤やスイッチ，コンセント類の位置に合わせてスイッチボックスを設置しておき，該スイッチボックスまで電線（ケーブル）の引き回しをしておく。壁面ボードの貼り付け工事終了後に前記スイッチボックスの位置でボードを開口し，スイッチボックスから電線を引き出して壁面の仕上がり後にブレーカやスイッチ・コンセント等の器具に電線を接続し，器具を壁面に固定して，化粧カバーを取り付ける方法が一般的である。また最近では，前述のスイッチボックスを使用せず，壁面ボードの開口から直接電線を引き出すような方法も取られる。【０００３】そのような工事方法のため，分電盤においても特許文献１，特許文献２のようにボード貼り付け工事終了後及び仕上げ作業後、分電盤のブレーカユニットに電線を接続して壁面に固定するような構造であった。特許文献１は露出工事用，特許文献２は埋込工事用の分電盤の一例である。
【特許文献１】特開昭５７−１３２７０４号  （第１図）
【特許文献２】特開昭５５−６１２０２号  （第１図）
【０００４】しかし，近年，ボード貼り付け工事前に分電盤のブレーカユニットに電線を接続したいといった工事ニーズが現れている。それは，工期の短縮化がいっそう進む中，電気工事で最も作業負荷の集中する仕上げ作業である照明，配線器具，分電盤等の取り付け作業の分散化の必要性と，いつでもより簡単に回路別の絶縁チェックができる状態にしておきたいという現場の要望に基づいている。近年は電気需要に比例して回路数の増加が著しく，分電盤の設置作業時間は増加傾向にあり，先行した取り付けによる作業負荷の平均化を現場から求められている。又，従来の絶縁管理方法としては，分電盤部に集まった各回路の大基となる電線を１本１本丁寧に絶縁測定し，工事中の配線をチェックしているが作業性に欠けるため，分電盤の取り付け後の絶縁チェックになりがちで，その時点での絶縁不良が発覚された場合，一旦貼り付け終えたボードを除去して配線の絶縁改修をすることもあり，ボードも貼り直さなければならず，そのようになると時間・手間・材料のロスが生じるからである。【０００５】その場合，ボード貼り付け工事前に分電盤の各ブレーカに電線が接続されていると絶縁チェックが非常に効率的に行える。なぜなら，配線の絶縁チェックは，分電盤の分岐回路一括あるいは各回路毎で行われ，各回路毎にブレーカで入り切りできれば，一括・回路毎の試験が自在にできるからである。また，従来の方法であれば，分電盤側の電線切断と皮むき処理は接続チェック時と分電盤取付時に２回行わなければならないからである。
【発明の開示】
【発明が解決しようとする課題】
【０００６】そこで本件の発明は，ボード貼り付け工事前に電線の接続工事が可能な構造の分電盤を安価に提供しようとするものである。
【課題を解決するための手段】
【０００７】請求項１は，壁部に埋め込まれるケースと，該ケースに固定されるブレーカユニットと，表面の全部あるいはブレーカのハンドル部を露望させて覆う化粧カバーを備えてなる分電盤において，ケースには壁面に対して前後方向に設けられた長穴と該長穴に沿ったガイド溝が側部に設けられ，該ガイド溝内で摺動しケースを壁の枠内に固定する釘又はねじを斜めに保持する保持部材を備えることを特徴とする分電盤を提供したものである。【００１０】請求項２は，前記長穴は，ケース上下の対向する側部に設けられ，ケースは該ケースの上下で柱に跨って水平に固定された２つの枠木の間に，釘又はねじで固定されることを特徴とする請求項１の分電盤を提供したものである。【００１１】請求項３は，前記ケースと枠木の間の隙間にはスペーサーを挟んで固定することを特徴とする請求項２の分電盤を提供したものである。【００１２】請求項４は，前記化粧カバーは前記ケースまたはブレーカユニットに対して螺着するものであって，化粧カバーのねじ穴は長穴あるいは穴ガタ状であってケース又はブレーカユニットに対して取付角度の調整が可能であることを特徴とする請求項１乃至請求項３の分電盤を提供したものである。【００１３】請求項５は，前記スペーサーは，片側にねじあるいは釘の外周を包含する略Ｕ字状の切欠部を備え，該Ｕ字状の切欠部から他端に折り取り部を設けたことを特徴とする請求項３の分電盤を提供したものである。
【発明の効果】
【００１４】請求項１の発明によれば，ボード貼り付け工事前に配線をブレーカに接続可能な分電盤を安価に提供できる。また，ケースには壁面に対して前後方向に設けられた長穴と該長穴に沿ったガイド溝が側部に設けられ，該ガイド溝内で摺動しケースを壁の枠内に固定する釘又はねじを斜めに保持する保持部材を備えてから，ボード貼り付け工事後にブレーカユニットとケースをボードの表面に合わせて前後の位置調整することができ仕上がり外観のよい分電盤を提供できる，さらには釘あるいはねじを斜めに保持する保持部材を有するから，釘打ちあるいはねじ止め作業が容易でケースが破損しにくく固定をしっかり行うことができる。【００１５】請求項２の発明によれば，分電盤の上下で枠木に固定するようにしたから，分電盤の大きさ（回路数）が異なっても縦寸法が同一であれば，枠木の工事寸法を標準化できる。また，枠木の左右の幅内であれば分電盤の左右方向の取付位置も周囲の状況に応じて任意にできる。【００１６】請求項３の発明によれば，分電盤のケースと枠木間の隙間をスペーサーで埋めることができるから，釘打ちあるいはねじ止めによるケースの変形，破損がなくしっかり固定できる。【００１７】請求項４の発明によれば，化粧カバーをケースとブレーカユニットに対して傾きを補正して取付可能となり，ケースとブレーカユニットの取付が水平でなくても，化粧カバーは水平に取り付けることができるから仕上がり外観のよい分電盤を提供できる。【００１８】請求項５の発明によれば，スペーサーにＵ字状切欠部と折り取り部を設けたから，釘あるいはねじの周囲にスペーサーを配置できるとともに，折り取り部を摘んでスペーサーを隙間に容易に挿入でき，ケースと釘あるいはねじの位置関係に応じてはみ出した部分を簡単に除去できる。
【実施例１】
【００１９】本件発明を図を用いて詳細に説明する。図１は本件発明の分電盤の化粧カバーを外した平面図，図２はその断面図である。１はケースで，樹脂又は金属，あるいは樹脂と金属の組合せなどで構成され，１０１は電線の入線孔，１０２は化粧カバーの取付穴である。２はブレーカユニットで，ブレーカ取付板２０１に主幹ブレーカ２０２，分岐ブレーカ２０３，図示しない導電部材などが載置され，ねじ３でケース１に固定される。１０３はケースの上下側部に配置された長穴，１０４は長穴１０３に沿ったガイド溝で，保持部材４を摺動状にガイドする。５はねじ（または釘）である。【００２０】図３は，前記の長穴１０３，ガイド溝１０４，保持部材４，ねじ５の詳細説明図である。保持部材４は，ねじ５を斜めに保持する保持穴４０１を備える。なお，ガイド溝１０４は長穴１０３の両サイドに配置されるが，図３では都合上片側を破断した図としている。【００２１】図４は化粧カバー６の図で，外形寸法は，前述のケースの投影より１ｃｍ〜数ｃｍ大きく，ケースが背部で完全に隠れるようにしてある。６０１はブレーカのハンドル窓，６０２，６０３は化粧カバー６をケース１に固定するねじ穴であり，６０３は６０２を中心にして化粧カバー６の傾きを調整可能に長穴となっている。【００２２】以上のように構成された分電盤を取り付ける手順を次に説明する。図５は，ボードと分電盤取付工事前の柱組の状態を示す。柱７，７’に対し間柱８を備えるが，これはあってもなくてもよい。柱７，７’の間に枠木９，９’を水平に上下に２本渡し固定しておく。このとき２本の枠木の間隔Ｈは，図１に示すケース１の縦寸法ｈより若干大きく設定する。ケース１の縦寸法ｈは，一般的にメーカー毎で標準寸法化されているから，枠木の間隔Ｈも標準化でき，取り付ける分電盤の分岐回路数に係わらず，柱工事の業者に対しては標準寸法での工事を指示できる。【００２３】次に，図６のように，上下の枠木９，９’の間にケース１の下側部が枠木９’に密着するように釘またはねじ５，５’で仮止めする。ケース１の上側部と枠木９の間には隙間ｇが生じるが，この部分にスペーサ１０を挿入する。スペーサ１０は，図７のようになっており，片側にＵ字切欠部１００１を備え，他方には折り取り部１００２を備え，Ｕ字状切欠部１００１が釘，ねじを跨ぐ形で挿入され，挿入後，前方にはみ出した余分な折り取り部１００２を折り取る。【００２４】スペーサーのＵ字状切欠部１００１が釘あるいはねじを跨ぐので，釘を打ち込むあるいはねじを締め付け終えた際にケース１が変形・破損することなくしっかり固定できる。スペーサー１０の材質は樹脂や繊維質のものでよく，厚みは１〜２ｍｍ前後のものがよい。１枚で隙間をカバーできない場合は，複数枚を挿入する。なお，この段階では，釘またはねじ５，５’は完全にケース１を固定しきっていない程度に軽く固定しておく。【００２５】次に図８のように，ブレーカユニット２をねじ３によりケース１に固定し，電線１１をブレーカに接続する。【００２６】ブレーカユニット２がケース１に固定され，電線１１がブレーカに接続された状態で，図９のように壁面ボード１２を分電盤の寸法に合わせて予め開口し，柱に対して張り付ける。ボード１２が貼り付けられるまでは，紙やビニールシートなどで簡易にブレーカユニットを覆っておけば，ブレーカなどに塵埃が付着しなくてよい。【００２７】その後，化粧カバー６をケース１に対して固定するが，図６のケースの取付深さや，ボード１２の板厚によっては化粧カバー６に対して，ブレーカのハンドルが奥まっていたり，出過ぎていたりする可能性があり，このときはケース１ごと壁面に対して前後方向に位置調整を行う。釘またはねじは壁面に対して位置は動かないが，ケース１の長穴１０３によってケース１の位置の微調整が可能である。しかも保持部材４があることで位置調整がスムースで，且つ位置調整後に釘またはねじ５，５’を完全に打ち付けまたは締め付けてケース１を壁に固定する際も押さえがよくききしっかり固定できる。【００２８】化粧カバー６をケース１に固定する際，図４の化粧カバーにおいて，右のねじ穴６０２を中心に化粧カバーの水平の傾き調整が可能であり，壁面に対して見栄えよく取付が可能である。
【発明の効果】
【００２９】以上のように，本件発明によれば，ボード貼り付け工事前に電線への接続工事が可能な分電盤を簡単な構成で安価に提供することができることは勿論のこと，電気工事の終盤に集中する作業の分散化が図られる。又、分電盤の取り付け時，柱を中心とした構造体だけなので，どこからでも手を差し入れることができるので設置作業も従来に比べ飛躍的な改善となる。さらに絶縁管理においても従来と比較にならない効率的な絶縁測定作業を可能とし，絶縁管理の精度を向上させることが出来る。
【産業上の利用可能性】
【００３０】本件発明は，壁面がボードで仕切られる戸建てあるいは集合住宅などの分電盤に使用可能である。
【図面の簡単な説明】
【００３１】
【図１】本件発明の分電盤の化粧カバーを外した図。
【図２】本件発明の分電盤の断面主要構造を説明した図。
【図３】本件発明の分電盤のケースに設けられる長孔と釘またはねじの保持部材の説明図。
【図４】本件発明の分電盤の化粧カバーの図。
【図５】本件発明の分電盤の取付に係わる枠木の構造を示す図。
【図６】本件発明の分電盤のケースの取付工事を説明する図。
【図７】本件発明のスペーサーを示す図。
【図８】本件発明の分電盤のブレーカユニットの取付と電線の接続を説明する図。
【図９】本件発明の分電盤の化粧カバーの取付を説明する図。
【符号の説明】
【００３２】１  ケース
１０１  電線入線孔
１０２  化粧カバー取付ねじ穴
１０３  長穴
１０４  ガイド溝
２  ブレーカユニット
２０１  ブレーカ取付板
２０２  主幹ブレーカ
２０３  分岐ブレーカ
３  ブレーカユニット取付ねじ
４  保持部材
４０１  保持穴
５  釘またはねじ
６  化粧カバー
６０１  ブレーカ窓
６０２，６０３  ねじ穴
７  柱
８  間柱
９，９’  枠木
１０  スペーサー
１００１  Ｕ字切欠部
１００２  折り取り部
１１  電線
１２  壁面ボード
１３  化粧カバー止めねじ
【図１】
2006141188.tif 000003
【図２】
2006141188.tif 000004
【図３】
2006141188.tif 000005
【図４】
2006141188.tif 000006
【図５】
2006141188.tif 000007
【図６】
2006141188.tif 000008
【図７】
2006141188.tif 000009
【図８】
2006141188.tif 000010
【図９】
2006141188.tif 000011